(57)【要約】【課題】人体に快い温熱感を与える程度の温度範囲でも、長時間の間、人体の同一部位が直接加熱作用を受けると火傷を負うといういわゆる低温火傷を防止できる機能を備えた電気あんかの提供【解決手段】個別に発熱可能な複数の発熱体により、複数の加熱ユニットに区画された電気あんかにおいて、前記複数の発熱体に対応して温度センサを設け、前記温度センサにより検出された温度に応じて、制御部の制御により、前記複数の発熱体の温度制御を行なうようにすることを特徴とする電気あんか。【選択図】  図３
2014202363.tif 000002
【特許請求の範囲】
【請求項１】
個別に発熱可能な複数の発熱体により、複数の加熱ユニットに区画された電気あんかにおいて、
前記複数の発熱体に対応して温度センサを設け、前記温度センサにより検出された温度に応じて、制御部の制御により、前記複数の発熱体の温度制御を行なうようにすることを特徴とする電気あんか。
【発明の詳細な説明】
【技術分野】
【０００１】
本発明は、発熱可能な複数の発熱体を備えた暖房器具、特に、電気あんかに関するものである。
【背景技術】
【０００２】
電気あんかを長時間使用すると、あんかが密着している体の部位が低温火傷を引き起こすことがあった。湯たんぽやホットカーペットも、長時間、加温部が体の同じ部位に 接触し続けることで低温火傷を引き起こすことがあった。 低温火傷は、温かくて快適と感じる温度でも、長時間、体の同じ部分に触れて いることにより起こる。例えば、４４℃という低い温度でも、直接皮膚に６時間接触していれば、皮膚は熱による損傷を起こすと考えられている。
【０００３】
皮膚に押しつけるようにして使っている場合、その時間はもっと短くなる。 低温火傷は、低い温度でゆっくり進行するために熱さや痛みを感じ難い。そのため、気がついた時には皮膚の深部まで達する重症の火傷になっているケースが多く、重症になると皮膚細胞が壊死し、感染予防のための治療や、皮膚移植の手術が必要になることもある。低温火傷を予防するためには、器具の加温部を長時間身体の同じ部位に触れさせないことであるが、痛み等の自覚が無く、器具の使用中は心地いいので寝てしまったりと、使用者自身の注意で予防することは難しい。 
【０００４】
このため、例えば実開平１−７０２９７号公報（特許文献１）に開示されるように、設定温度が所定温度よりも高いときには、タイマを作動させ、タイマの設定時間が経過したときに設定温度を所定温度よりも低い温度に変更することにより、電気毛布，電子カーペット等におけるいわゆる低温火傷を防止するようにした電気暖房装置が提案されている。
【先行技術文献】
【特許文献】
【０００５】
【特許文献１】実開平１−７０２９７号公報
【発明の概要】
【発明が解決しようとする課題】
【０００６】
発熱可能な複数の発熱体を備えた暖房器具、特に、電気あんかにおいて、短時間では人体に快い温熱感を与える程度の温度範囲でも、長時間の間、人体の同一部位が直接加熱作用を受けると火傷を負うといういわゆる低温火傷を防止しようとするものである。
【０００７】
上述した課題を解決し、目的を達成するために、本発明の電気あんかは、個別に発熱可能な複数の発熱体により、複数の加熱ユニットに区画された電気あんかにおいて、前記複数の発熱体に対応して温度センサを設け、前記温度センサにより検出された温度に応じて、制御部の制御により、前記複数の発熱体の温度制御を行なうようにすることを特徴とする。
【発明の効果】
【０００８】
本発明による電気あんかでは、人体に快い温熱感を与える程度の温度範囲でも、長時間の間、人体の同一部位が直接加熱作用を受けると火傷を負うといういわゆる低温火傷を防止できる機能を備えた電気あんかを提供することができる。
【図面の簡単な説明】
【０００９】
【図１】本発明の電気あんかの構造的な模式図である。
【図２】本発明の電気あんかの断面構造の模式図である。
【図３】本発明の電気あんかのブロック図である。
【図４】本発明の電気あんかの全体の制御のフローチャートである。
【図５】本発明の電気あんかの加温部の制御のフローチャートである。
【図６】本発明の電気あんかの温度のトレンドを示す図である。
【発明を実施するための形態】
【００１０】
以下に、本発明の電気あんかを添付図面に示す好適実施形態に基づいて詳細に説明するが、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１１】
図１を参照して、電気あんかを例に、従来例（図１（ａ））と、本発明の実施例における模式的な構造図（図１（ｂ））を示す。 従来においては、電気あんか１００は、基本的に、発熱体である１個の加温部（ヒータなど）３と１個の温度センサ（サーミスタなど）１を備え、温度センサ１により検出される温度を監視しながら一定の温度になるように加温部３を加熱制御していた。
【００１２】
図１，図２に示すように、本発明の実施例においては、電気あんか１００は、複数の加温部３３，３４（加温部Ａと加温部Ｂ）とそれに対応する温度センサ１１，１２（温度センサＡと温度センサＢ）のセット（図では２組）を備える
。図２に、形状的な工夫を施した例を示す。電気あんか１００は、複数の加温部３３，３４（加温部Ａと加温部Ｂ）とそれに対応する温度センサ１１，１２（温度センサＡと温度センサＢ）、基板２の全体はポリウレタン系遷移，アクリル系繊維で覆われている。この表面に、５ｍｍ程度の凹部５を設け、凹凸を形成するようにしている（４は、相対的に凸部となる）。凹部５の長手方向に沿って加温部３３（加温部Ａ），加温部３４（加温部Ｂ）を配置することにより、加温部による皮膚への圧迫を軽減し低温火傷を発生し難くする。
【００１３】
さらに好ましくは、起毛層を形成する短繊維（不図示）を表側６に設けてもよい。起毛層を形成するこの短繊維は、デニール０．０８〜１．５、長さ０．２〜０．６ｍｍの細く短いパイルである。長さが０．２ｍｍ未満では体温測定の際にワキ下に装着するに冷たさを低減する効果、ソフト感が低く、また０．６ｍｍを越えると、汚れ等が目立ち、好ましくない。材質としてはとくに制限はないが、耐光性能及びソフト感を得る点でポリエステル、ナイロン６６、レーヨンなどのパイルが好ましい。また、抗菌性を持たせるために、第２のベースコートにリン酸ジルコニウム銀化合物をほぼ１〜２．５重量％含むようにしてもよい。上記の他、合成繊維、特にアクリル系合成繊維の紡績糸からなる生地として、起毛（立毛）させてもよい。この場合、吸湿性が少ない
【００１４】
図３に、本発明の電気あんか１００の回路図（ブロック図）、図４に電気あんか１００の制御部に実装するソフトウェアの フローチャートを示す。
【００１５】
図３において、１５は、マイクロコンピュータなどのＣＰＵとＣＰＵにより実行される装置全体の制御プログラムや各種データを記憶するＲＯＭとワークエリアとして測定データや各種データを一時的に記憶するＲＡＭなどを備える制御部であり、電気あんか１００全体の動作の制御・判断を司る。
【００１６】
図３において、電源１９はＡＣ商用電源であり、電源スイッチＳＷをＯＮすると、不図示の電源部を介し、制御部１５をはじめ基板各部に電源が供給され、以後、制御部１５のソフトウェア により図４に沿って制御が行われる。
【００１７】
スイッチＡは、トランジスタまたはＦＥＴ１６ａから成るスイッチとリレー１６から構成され、スイッチＢも、トランジスタまたはＦＥＴ１７ａから成るスイッチとリレー１７から構成される。
【００１８】
温度調節部１８は、可変抵抗器から成り、電気あんか１００の表面にある例えばタイヤル式のボリュームに直結しており、使用者は当該ボリュームにより所望の温度に設定することができる。 
【００１９】
マイクロコンピュータが起動すると、図４及び図５に沿って制御が行われる。 まず、ステップＳ１０００にてマイクロコンピュータのレジスタ、ポート、ＲＡＭが初期化され、正常に動作を開始するための準備を整える。次に、初回フラグを０にセットする。
【００２０】
初回フラグは、後述する加温部３３または加温部Ｂの温度制御にて、初回の温度制御か否かを識別するために用いる。次に、ステップＳ１０１０にて加温部フラグを０にセットし、スイッチＡ及びスイッチＢを念のためＯＦＦにする。加温部フラグは、加温部３３と加温部３４のどちらを加温するかを判定するために使用する。
【００２１】
次に、ステップＳ１０２０にて、タイマ（Ｔ）、切り換えタイマ（Ｔｃ）をクリアし、タイマ動作を開始させる。タイマは、動作を開始してからの経過時間を計測し、切り換えタイマは、加温部を切り換えるタイミングの計測に用いる。 次に、ステップＳ１０３０にて、加温部フラグを調べ、それが０ならば加温部Ａを、１ならば加温部Bを温度制御する。
【００２２】
加温部の温度制御は、図５のフローチャートに従って、ヒステリシスを設け、温度調節部で設定した温度設定値に安定するように制御する。まず、ステップＳ２０００にて、温度センサ１１から出力され、ＡＤ変換器２１でＡＤ変換されたＡＤ値と、温度センサ１２から出力され、ＡＤ変換器２２でＡＤ変換されたＡＤ値のいずれかを読み込む。
【００２３】
次に、ステップＳ２０１０にて、初回フラグを調べ、それが1でないならば、即ち、初回のＡＤ変換ならばステップＳ２０５０に進み、初回フラグに１を代入し、ステップＳ２０４０にて、今回のＡＤ値をＡＤｌａｓｔに代入する。ＡＤｌａｓｔは、次回の温度制御にて、前回取得したＡＤ値として使用する。
【００２４】
ステップＳ２０１０にて、初回フラグ＝１ならば、即ち、２回目以降のＡＤ変換ならば、Ｓ２０２０以降に進み、 ＡＤ＞ＡＤｌａｓｔ ａｎｄ ＡＤ＞設定温度＋α？  ならば、スイッチをＯＦＦ、ＡＤ＜ＡＤｌａｓｔ ａｎｄ  ＡＤ＜設定温度−α？  ならば、スイッチをＯＮの制御を行う。その結果、図６に示す通りのタイミングでスイッチのＯＮ、ＯＦＦが行われる。
【００２５】
図５に戻り、ステップＳ１０４０またはステップＳ１０５０にて加温部３３または加温部３４の制御を実行後、ステップＳ１０６０にて動作を開始してから制限時間Ｔｌｉｍを経過したかを調べ、Ｔｌｉｍを超えていたら強制的に電源スイッチＳＷをＯＦＦする。
【００２６】
加温部３３，３４を切り換えても、長時間使用すると低温火傷のリスクは高くなるし、そもそも暖房器具を長時間使用することは健康上好ましくないし、火災の危険もあるため、Ｔｌｉｍを設けている。Ｔｌｉｍは、例えば１時間の固定値に設定する。Ｔｌｉｍを超えてなければ、ステップＳ１０７０にて、加温部を切り換えてからＴｃの時間が経過したかを確認し、経過していればステップＳ１０８０にて加温部の切り替えを行う。 
【符号の説明】
【００２７】
１，１１，１２・・・温度センサ、５・・・凹部、３３，３４・・・加温部、１５・・・マイクロコンピュータ
【図１】
2014202363.tif 000003
【図２】
2014202363.tif 000004
【図３】
2014202363.tif 000005
【図４】
2014202363.tif 000006
【図５】
2014202363.tif 000007
【図６】
2014202363.tif 000008